(57)【要約】【課題】簡易な構成によって、フィルム材料を切り抜いて形成した取出開口の開口端面におけるアルミフィルム層の腐食を効果的に回避することのできるウエットティッシュ包装体を提供する。【解決手段】アルミフィルム層１８を含むフィルム材料１２からなり、積層した状態で収容されるウエットティッシュ１１を取出開口１３を介して取り出すようにしたウエットティッシュ包装体１０であって、取出開口１３の周縁に沿って当該取出開口１３の内方に張り出す帯状張出片１５を設けつつ、取出開口１５の周囲を囲んでフィルム材料１２の内側面に取り付けられる内側タックラベル１６を有している。そして、取出開口１５を外側から開閉するリシールラベル１４を取出開口１３を覆って貼着した際に、取出開口１３の開口端面１７を、内側タックラベル１６とリシールラベル１４との間に覆い隠すようにして挟み込む。【選択図】      図２
2004182253.tif 000002
【特許請求の範囲】
【請求項１】
アルミフィルム層を含むフィルム材料からなり、複数積層した状態で収容されるウエットティッシュを、前記フィルム材料に開口形成した取出開口を介して順次取り出すようにした袋状の包装体であって、
前記取出開口の周縁に沿って当該取出開口の内方に張出片を設けつつ、前記取出開口の周囲を囲んで前記フィルム材料の内側面に取り付けられる内側タックラベルを有しており、
前記取出開口を外側から開閉するリシールラベルを前記取出開口を覆って貼着した際に、前記取出開口の開口端面に露出した前記フィルム材料の切断面を、前記内側タックラベルと前記リシールラベルとの間に挟み込むウエットティッシュ包装体。
【請求項２】
前記ウエットティッシュには、塩化カルシウムを含む含浸液が含浸されている請求項１に記載のウエットティッシュ包装体。
【請求項３】
前記リシールラベルには、前記取出開口を切り抜いた前記フィルム材料の切抜片が貼着されており、該切抜片は、当該包装体の開封前の状態において、前記リシールラベルの引き剥がし時の引張力により分離可能な接合強度で前記取出開口の周縁に点付けされている請求項１又は２に記載のウエットティッシュ包装体。
【請求項４】
前記内側タックラベルは、前記リシールラベルが取り付けられれる領域、又はこれより広い領域において、前記フィルム材料の内側面に取り付けられる請求項１〜３のいずれかに記載のウエットティッシュ包装体。
【発明の詳細な説明】
【０００１】
【発明の属する技術分野】
本発明は、ウエットティッシュ包装体に関し、特にアルミフィルム層を含むフィルム材料からなり、取出開口を介してウエットティッシュを順次取り出すようにした袋状のウエットティッシュ包装体に関する。
【０００２】
【従来の技術】
ウエットティッシュ包装体は、例えばアルコール、界面活性剤等を含んだ洗浄液や化粧水を例えば不織布、ガーゼ、コットン等からなるシート材料に含浸させたウエットティッシュを、折り畳んで複数積層した状態で収容する袋状の容器である。またウエットティッシュ包装体は、例えばアルミフィルム層を含むフィルム材料であるピローフィルムを、収容すべき複数のウエットティッシュを包み込むようにしつつ周縁部を適宜シール接合することによって、例えば平面矩形形状の袋容器として形成されることになる。
【０００３】
そして、ウエットティッシュ包装体は、例えば平面矩形形状の上面側に開口形成された例えば長円形状の取出開口を介して、内部に収容されている複数のウエットティッシュを上方から順次取り出すことができるようになっている。またウエットティッシュ包装体の取出開口には、当該取出開口を覆ってこれの周囲にリシール可能に貼着されたリシールラベルが取り付けられており、このリシールラベルによって取出開口を塞いでウエットティッシュを包装体の内部に封入している状態から、周縁部に設けた開封ツマミを介してリシールラベルをフィルム面から引き剥がすことにより取出開口を開封しつつ、ウエットティッシュを包装体から繰り返し取り出すことができるようになっている（例えば、特許文献１、特許文献２参照）。
【０００４】
【特許文献１】
実開平７−１７７７９号公報
【特許文献２】
特開平１０−３２４３７７号公報
【０００５】
【発明が解決しようとする課題】
しかしながら、上記従来のウエットティッシュ包装体によれば、当該包装体を構成するフィルム材料がアルミフィルム層を含むものである場合には、当該アルミフィルム層が、ウエットティッシュに含浸された含浸液の成分のうち特に塩化カルシウムと反応して腐食し、収容されたウエットティッシュや取り出されるウエットティッシュに黄ばみ等を生じさせることがある。すなわち、従来のアルミフィルム層を含むフィルム材料からなるウエットティッシュ包装体によれば、フィルム材料は、アルミフィルム層の表裏両面を例えばポリエチレン、ポリプロピレン、ポリエステル、ポリアミド、ポリ塩化ビニル等の合成樹脂フィルムで覆った積層フィルムであることから、フィルム材料のアルミフィルム層と、包装体の内部に収容されたウエットティッシュとの接触を、当該アルミフィルム層を覆う合成樹脂フィルム層によって強固に遮断することができる一方で、フィルム材料を切り抜いて形成した取出開口の開口端面には、フィルム材料の切断面が露出することになるため、この露出した切り口の切断面においてアルミフィルム層がウエットティッシュと接触することにより含浸液と反応し、腐食する場合がある。
【０００６】
本発明は、簡易な構成によって、フィルム材料を切り抜いて形成した取出開口の開口端面におけるアルミフィルム層の腐食を効果的に回避することのできるウエットティッシュ包装体を提供することを目的とする。
【０００７】
【課題を解決するための手段】
本発明は、アルミフィルム層を含むフィルム材料からなり、複数積層した状態で収容されるウエットティッシュを、前記フィルム材料に開口形成した取出開口を介して順次取り出すようにした袋状の包装体であって、前記取出開口の周縁に沿って当該取出開口の内方に張出片を設けつつ、前記取出開口の周囲を囲んで前記フィルム材料の内側面に取り付けられる内側タックラベルを有しており、前記取出開口を外側から開閉するリシールラベルを前記取出開口を覆って貼着した際に、前記取出開口の開口端面に露出した前記フィルム材料の切断面を、前記内側タックラベルと前記リシールラベルとの間に挟み込むウエットティッシュ包装体を提供することにより、上記目的を達成したものである。
【０００８】
【発明の実施の形態】
本発明の好ましい第１実施形態に係るウエットティッシュ包装体１０は、図１に示すように、清浄液や化粧水を不織布、ガーゼ、コットン等の繊維素材に含浸させたシート材料であるウエットティッシュ１１として、例えばトイレに流せるおしりふきを複数積層した状態で収容する、アルミフィルム層を含むフィルム材料１２によって形成される平面略矩形形状の袋容器として用いられる。またウエットティッシュ包装体１０には、これの上面中央部分にフィルム材料１２を切り抜いて取出開口１３が開口形成されており、当該取出開口１３を覆ってこれの周囲のフィルム材料１２にリシール可能に貼着されたリシールラベル１４を引き剥がすことにより取出開口１３を開封して、ウエットティッシュ１１を例えば１枚ずつ繰り返し取り出すことができるようにしたものである。
【０００９】
すなわち、本第１実施形態のウエットティッシュ包装体１０は、アルミフィルム層を含むフィルム材料１２からなり、複数積層した状態で収容されるウエットティッシュ１１を、フィルム材料１２に開口形成した取出開口１３を介して順次取り出すようにした袋状の包装体である。そして、本第１実施形態のウエットティッシュ包装体１０は、図２及び図３に示すように、取出開口１３の周縁に沿って取出開口１３の内方に張り出す帯状張出片１５を設けつつ、取出開口１３の周囲を囲んでフィルム材料１２の内側面に取り付けられる内側タックラベル１６を有しており、取出開口１３を外側から開閉するリシールラベル１４を取出開口１３を覆って貼着した際に、取出開口１３の開口端面１７に露出したフィルム材料１２の切断面を、図４に示すように、内側タックラベル１６とリシールラベル１４との間に覆い隠すようにして挟み込むようになっている。
【００１０】
本第１実施形態によれば、包装体１０を構成するフィルム材料１２は、アルミフィルム層１８を含む公知のいわゆるピローフィルムである（図４参照）。すなわち、フィルム材料１２は、アルミフィルム層１８を挟んでその表裏両面を例えばポリエチレン、ポリプロピレン、ポリエステル、ポリアミド、ポリ塩化ビニル等による合成樹脂フィルム層１９，２０で覆った積層フィルムであり、外側の合成樹脂フィルム層１９の表面及び裏面には、印刷等を施すことによって、模様や文字が適宜描かれている。また内側の合成樹脂フィルム層２０によってアルミフィルム層１８が覆われていることにより、アルミフィルム層１８と、包装体１０の内部に収容されたウエットティッシュ１１との接触や、含浸液との接触を強固に遮断することができるようになっている。
【００１１】
そして、折り畳んで積層状態にまとめられた例えば十数枚〜数十枚程度のウエットティッシュ１１を、上述のフィルム材料１２によって包み込むようにしつつ当該フィルム材料１２の周縁部を適宜シール接合することによって、相当の厚さを有する平面矩形形状の袋容器として、ウエットティッシュ包装体１０が形成される。またウエットティッシュ包装体１０の上面中央部分には、フィルム材料１２を切り抜いてウエットティッシュ１１を取り出すための取出開口１３が開口形成されることになる。
【００１２】
本第１実施形態によれば、取出開口１３の周囲を囲んで、フィルム材料１２の内側面には内側タックラベル１６が取り付けられている。内側タックラベル１６は、例えばポリエチレン、ポリプロピレン、ポリエステル、ポリアミド、ポリ塩化ビニル等の合成樹脂フィルムの単材かまたは複合材を、図５に示すように、取出開口１３を覆う大きさの矩形形状に切断加工して形成されるものであり、これの中央部分には、取出開口１３と略相似形状で且つ取出開口１３よりも小さな内側取出開口２１が開口形成されている。内側タックラベル１６は、内側取出開口２１を取出開口１３と同心状に配置しつつ（図３参照）、公知の各種の接着剤を用いて、取出開口１３の周囲を囲んでフィルム材料１２の内側面に固着される。内側取出開口２１が取出開口１３と同心状に配置されることにより、内側取出開口２１の周縁部分に位置する内側タックラベル１６のフィルム材料が、取出開口１３の周縁に沿って当該取出開口１３の内方に張り出すようにして現れるので、この張り出した周縁部分によって帯状張出片１５が形成されることになる。なお、当該帯状張出片１５となる内側タックラベル１６の内側取出開口２１の周縁部分は、接着剤が塗布されていない非塗布部となっており、これによって取出開口１３及び内側取出開口２１の周囲に貼着したリシールラベル１４を、開封時に帯状張出片１５からスムーズに剥離させることができるようになっている。
【００１３】
取出開口１３を外側から開閉可能に覆うリシールラベル１４は、例えばポリエチレン、ポリプロピレン、ポリエステル、ポリアミド、ポリ塩化ビニル等の合成樹脂フィルムの単材かまたは複合材、或いはこれらの合成樹脂フィルムとアルミフィルム等とを張合わせた積層フィルムからなり、取出開口１３を覆う大きさの略矩形形状に切断加工して形成される。リシールラベル１４は、図１及び図２に示すように、これの一方の短辺部には、取出開口１３から外れた位置において、公知の各種の接着剤を用いてフィルム材料１２に帯状に固着される帯状固着部２２が設けられており、リシールラベル１４が包装体１０のフィルム材料１２からリシール可能に引き剥がされた際に、この帯状固着部２２において引き剥がしをストップさせて、リシールラベル１４が包装体１０から外れたりずれたりするのを回避し、取出開口１３を覆ってリシールラベル１４を再度シールする作業をスムーズに行えるようにしている。
【００１４】
また、取出開口１３の外側に配置される部分のリシールラベル１４の裏面には、帯状固着部２２を除いて、フィルム材料１２に対してリシール可能な接着剤として例えばポリエステル系、アクリル系、ゴム系等の感圧接着剤が塗布されており、これによってリシールラベル１４をリシールしつつ取出開口１３を開封して、ウエットティッシュ１１を繰り返し取り出すことができるようになっている。なお、帯状固着部２２と反対側の短辺部の縁部に設けられた開封ツマミ２３の裏面には、接着剤が塗布されていないか、或いは塗布した接着剤の接着力が抑制されており、これによって開封ツマミ２３を摘み易くなっている。
【００１５】
そして、本第１実施形態によれば、取出開口１３の内方に張り出す帯状張出片１５を設けつつ、フィルム材料１２の内側面に内側タックラベル１６を取り付けるだけの簡易な構成によって、フィルム材料１２を切り抜いて形成した取出開口１３の開口端面１７におけるアルミフィルム層１８の腐食を効果的に回避することが可能になる。すなわち、本第１実施形態によれば、取出開口１３の内方に張り出して内側タックラベル１６による帯状張出片１５が設けられているので、取出開口１３を開封してウエットティッシュ１１を取り出す際には、内側取出開口２１を介してウエットティッシュ１１が通過することになるので、内側取出開口２１の開口端面２３よりも後退して配置される取出開口１３の開口端面１７へのウエットティッシュ１１の接触が、帯状張出片１５によって遮られて効果的に回避されることになる。
【００１６】
また、取出開口１３を封止するべく取出開口１３を覆ってリシールラベル１４を貼着する際には、リシールラベル１４は、取出開口１３の周囲を囲んでフィルム材料１２の外側面に貼り付けられるだけでなく、取出開口１３から内方に張り出した帯状張出片１５の上面にも貼り付けられるので、図４に示すように、取出開口１３の開口端面１７に露出したフィルム材料１２の切断面は、内側タックラベル１６とリシールラベル１４との間に覆い隠すようにして挟み込まれることになり、これによって、アルミフィルム層１８の、包装体１０の内部に収容されたウエットティッシュ１１との接触や、ウエットティッシュ１１から滲みだした含浸液との接触が効果的に回避されることになる。
【００１７】
したがって、本第１実施形態のウエットティッシュ包装体１０によれば、取出開口１３の開口端面１７に露出するフィルム材料１２のアルミフィルム層１８と、ウエットティッシュ１１に含まれる含浸液との接触を強固に遮断して、特にウエットティッシュ１１がアルミフィルム層１８を腐食させやすい塩化カルシウムを含む含浸液を含浸するものである場合でも、アルミフィルム層１８の腐食を効果的に回避して、収容されたウエットティッシュ１１や取り出されるウエットティッシュ１１に黄ばみ等が生じるのを容易に防止することが可能になる。
【００１８】
図６は、本発明の第２実施形態に係るウエットティッシュ包装体３０の要部を示す部分平面図であり、本第２実施形態のウエットティッシュ包装体３０は、ウエットティッシュ３１として、例えばワックス洗車用のシート材料を複数積層した状態で収容したものである。また、本第２実施形態のウエットティッシュ包装体３０によれば、上記本第１実施形態のウエットティッシュ包装体１０と同様に、アルミフィルム層３８（図７参照）を含むフィルム材料３２に開口形成したウエットティッシュ３１を取り出すための取出開口３３の周縁に沿って、取出開口３３の内方に張り出す帯状張出片３５を設けつつ、取出開口３３の周囲を囲んでフィルム材料３２の内側面に取り付けられる内側タックラベル３６を有している。
【００１９】
さらに、本第２実施形態によれば、取出開口３３を開閉可能に覆うリシールラベル３４は、透明なラベル材料によって形成されており、またこれの内側面に、取出開口３３を切り抜いた際に生じるフィルム材料３２の切抜片３９を例えば透明な接着剤を介して貼着した状態で、リシールラベル３４が取出開口３３を覆ってフィルム材料３２の外側面にリシール可能に取り付けられる。
【００２０】
なお、本第２実施形態によれば、取出開口３３の開封前において、フィルム材料３２の表面または裏面には取出開口３３の部分を含んだ連続模様が描かれており、透明なリシールラベル３４に切抜片３９を貼着した状態としておくことにより、取出開口３３を開封した後にリシールラベル３４をリシールして取出開口３３を再び封止した際に、フィルム材料３２の表面または裏面に連続模様を保持することができるようになっている。
【００２１】
また、本第２実施形態によれば、フィルム材料３２の取出開口３３を切り抜いた際に生じる切抜片３９は、ウエットティッシュ３１をフィルム材料３２で包み込んでウエットティッシュ包装体３０が製品化されるまでの間、図８に示すように、フィルム材料３２から分離されないように、リシールラベル３４の引き剥がし時の引張力により分離可能な接合強度で、取出開口３３の周縁に点付部４０ａ，４０ｂを介して例えば３点で点付けされている。切抜片３９が取出開口３３の周縁に点付けによって接合されていることにより、ウエットティッシュ包装体３０を製品化する各工程において、切抜片３９をフィルム材料３２から分離させることなくスムーズに各作業を行うことが可能になる。また製品化されたウエットティッシュ包装体３０の取出開口３３を始めて開封する際には、リシールラベル３４の引き剥がす際の引張力によって、取出開口３３の周縁に破れを生じさせることなく、当該点付け部分のみの破断によって、切抜片３９をフィルム材料３２から容易且つスムーズに分離させることが可能になる。ここで、本第２実施形態によれば、長手方向両端部の点付部４０ａ以外の３点目の点付部４０ｂは、取出開口３３の周縁における、リシールラベル３４の引き剥がし方向Ｘの後方部分に設けられているので、取出開口３３の周縁の破れの発生をより確実に回避することが可能になる。
【００２２】
そして、本第２実施形態のウエットティッシュ包装体３０によっても、取出開口３３の内方に張り出して内側タックラベル３６による帯状張出片３５が設けられているので、ウエットティッシュ１１を取り出す際の取出開口３３の開口端面３７へのウエットティッシュ１１の接触を効果的に回避できると共に、取出開口３３を覆ってリシールラベル３４を貼着する際には、図７に示すように、取出開口３３の開口端面３７に露出したフィルム材料３２の切断面は、内側タックラベル３６とリシールラベル３４との間に覆い隠すようにして挟み込まれることになり、アルミフィルム層３８の、包装体３０の内部に収容されたウエットティッシュ３１との接触や、ウエットティッシュ３１から滲みだした含浸液との接触が効果的に回避できるので、上記第１実施形態のウエットティッシュ包装体１０と同様の作用効果が奏されることになる。また帯状張出片３５と接する切抜片３９の周縁部分にも、リシール可能な接着剤を塗布しておくことにより、帯状張出片３５との密着性を高めて、アルミフィルム層３８の含浸液との接触をより効果的に回避させることが可能なる。
【００２３】
なお、本発明は上記各実施形態に限定されることなく種々の変更が可能である。例えば、ウエットティッシュ包装体に収容されるウエットティッシュは、おしりふき用やワックス洗車用のシート材料に限定されることなく、界面活性剤等を含んだ洗浄液や化粧水を含浸させた種々のシート材料をウエットティッシュとして収容することができる。また、ウエットティッシュに含浸される含浸液は、塩化カルシウムを含むものである必要は必ずしもない。
【００２４】
さらに、本発明によれば、内側タックラベルは、リシールラベルが取り付けられる領域、又はこれより広い領域において、フィルム材料の内側面に取り付けることもできる。内側タックラベルが、リシールラベルが取り付けられる領域、又はこれより広い領域において、フィルム材料の内側面に取り付られていることにより、収容されたウエットティッシュが減少して、フィルム材料の表面にシワ等が生じやすくなっても、フィルム材料を内側から補強して、シワ等を生じ難くすることにより、リシールラベルを取出開口の周囲に貼着させやすい状態を容易に保持することが可能になる。
【００２５】
【発明の効果】
本発明のウエットティッシュ包装体によれば、簡易な構成によって、フィルム材料を切り抜いて形成した取出開口の開口端面におけるアルミフィルム層の腐食を効果的に回避することができる。
【図面の簡単な説明】
【図１】本発明の第１実施形態に係るウエットティッシュ包装体を示す斜視図である。
【図２】本発明の第１実施形態に係るウエットティッシュ包装体の開封状態を示す斜視図である。
【図３】本発明の第１実施形態に係るウエットティッシュ包装体の要部を示す部分平面図である。
【図４】本発明の第１実施形態に係るウエットティッシュ包装体の要部を示す部分断面図である。
【図５】内側タックラベルの一例を示す平面図である。
【図６】本発明の第２実施形態に係るウエットティッシュ包装体の要部を示す部分平面図である。
【図７】本発明の第２実施形態に係るウエットティッシュ包装体の要部を示す部分断面図である。
【図８】フィルム材料に取出開口の切抜片を点付した状況を説明する平面図である。
【符号の説明】
１０，３０  ウエットティッシュ包装体
１１，３１  ウエットティッシュ
１２，３２  フィルム材料
１３，３３  取出開口
１４，３４  リシールラベル
１５，３５  帯状張出片
１６，３６  内側タックラベル
１７，３７  開口端面
１８，３８  アルミフィルム層
１９，２０  合成樹脂フィルム層
２１  内側取出開口
３９  切抜片
４０ａ，４０ｂ  点付部
Ｘ    リシールラベルの引き剥がし方向
【図１】
2004182253.tif 000003
【図２】
2004182253.tif 000004
【図３】
2004182253.tif 000005
【図４】
2004182253.tif 000006
【図５】
2004182253.tif 000007
【図６】
2004182253.tif 000008
【図７】
2004182253.tif 000009
【図８】
2004182253.tif 000010